(57)【特許請求の範囲】
【請求項１】
一対の棒状支持体と、
一端部を一対の棒状支持体の一方への連接部とし、かつ、他端部を一対の棒状支持体の他方への連接部として、この一対の棒状支持体間に架け渡し状に備えられる一又は二以上の突起形成体とを備えており、
突起形成体は、その裏面を接着剤により歩行面に接着される接着面としていると共に、
連接部において、突起形成体と棒状支持体とを切り離し可能に構成してあることを特徴とする敷設されて視覚障害者誘導用突起を形成させる突起ユニット。
【請求項２】
突起形成体の接着面に、複数の突部が形成してあることを特徴とする請求項１記載の敷設されて視覚障害者誘導用突起を形成させる突起ユニット。
【請求項３】
突起形成体の表面に、滑り止めの凹凸が形成してあることを特徴とする請求項１又は請求項２記載の敷設されて視覚障害者誘導用突起を形成させる突起ユニット。
【請求項４】
棒状支持体の裏面が、突起形成体の接着面よりも上方に位置されるように、棒状支持体と突起形成体の連接部とが、連接片を介して連接してあることを特徴とする請求項１から請求項３のいずれか一項に記載の敷設されて視覚障害者誘導用突起を形成させる突起ユニット。
【請求項５】
棒状支持体の一端部にはめ込み凹部が形成してあると共に、この棒状支持体の他端部に、このはめ込み凹部にはめ込み可能な突起ユニット連結用のはめ込み部が形成してあることを特徴とする請求項１から請求項４のいずれか一項に記載の敷設されて視覚障害者誘導用突起を形成させる突起ユニット。
【請求項６】
突起形成体が、連接片を介して隣り合う点状突起体に連接された点状突起となる複数の点状突起体から構成してあることを特徴とする請求項１から請求項５のいずれか一項に記載の敷設されて視覚障害者誘導用突起を形成させる突起ユニット。
【請求項７】
突起形成体が、線状突起となる線状突起体から構成してあることを特徴とする請求項１から請求項５のいずれか一項に記載の敷設されて視覚障害者誘導用突起を形成させる突起ユニット。
【請求項８】
連接片が、
隣り合う点状突起体の一方に下端を切離可能に連接させて上方に延びる一方腕と、
隣り合う点状突起体の他方に下端を切離可能に連接させて上方に延びる他方腕とを備えた構成としてあることを特徴とする請求項６記載の敷設されて視覚障害者誘導用突起を形成させる突起ユニット。
【請求項９】
突起形成体の接着面が、この接着面を巡る外縁部側からこの接着面の中央部側に向かうに連れて次第に下方に張り出す湾曲面としてあることを特徴とする請求項１から請求項８のいずれか一項に記載の敷設されて視覚障害者誘導用突起を形成させる突起ユニット。
【請求項１０】
歩行面に速乾性の接着剤を塗布した後、
一対の棒状支持体と、一端部を一対の棒状支持体の一方への連接部とし、かつ、他端部を一対の棒状支持体の他方への連接部として、この一対の棒状支持体間に架け渡し状に備えられる一又は二以上の突起形成体とを備えた突起ユニットにおける突起形成体の裏面を接着剤の塗布された歩行面に押し付け、この裏面を歩行面に接着させ、
この後、連接部において突起形成体と棒状支持体とを切り離して、歩行面上に残された突起形成体によって視覚障害者誘導用突起を形成させるようにしたことを特徴とする前記突起ユニットによる視覚障害者誘導用突起の敷設方法。
【発明の詳細な説明】
【０００１】
【発明の属する技術分野】
この発明は、歩行面に敷設されて視覚障害者誘導用突起を形成させる突起ユニットに関する。また、この発明にかかる敷設方法は、前記突起ユニットによって歩行面に視覚障害者誘導用突起を敷設させるための方法に関する。
【０００２】
【従来の技術】
視覚障害者誘導用突起は、通例、この突起を表面に備えたブロックを敷設することによって、歩行面に形成される。
【０００３】
これに対して、こうしたブロックによらずに、歩行面に視覚障害者誘導用突起を形成させる手法として、特許文献１や特許文献２に示されるものが開示されている。
【０００４】
特許文献１記載の手法は、不織布や繊維製のシートの一面に複数の突起を接着したものを予め用意しておき、これを塗料によって歩行面（敷設面）に固着させるものである。
【０００５】
また、特許文献２記載の手法は、複数の凹部を形成させたシート体を予め用意しておき、このシート体の凹部に固化性物質を注入させると共に、このように注入された固化性物質の固化後、この固化された固化性物質の表面に接着剤を塗布して反転させたこのシート体を歩行面に敷くようにすることによって、この接着剤によって固化された固化性物質を歩行面に固着させるものである。
【０００６】
【特許文献１】
特許第２８４７１５７号公報（第３頁段落番号００２０および００２１、第１図）
【特許文献２】
特許第３１０３５２２号公報（第１頁請求項１、第１図−第５図）
【０００７】
【発明が解決しようとする課題】
しかるに、特許文献１のものは、不織布などに対し複数の突起を一体に形成させたものを予め用意せざるを得ない。不織布などに対する突起の一体性は必ずしも高く確保し難く、長期にわたり安定的に突起を歩行面に備え付けさせておき難いものであった。
【０００８】
また、特許文献２のものは、シート体への凹部の型作り工程、この凹部への固化性物質の流し込み工程、固化された固化性物質からのシート体の剥ぎ取り工程を必要とするものであった。また、歩行面には個々の固化された固化性物質が個別に接着されるため、やはり長期にわたり安定的に、かかる固化性物質から構成された突起を歩行面に備え付けさせておき難いものであった。
【０００９】
そこでこの発明は、歩行面に対し、視覚障害者誘導用突起を、こうした突起を備えたブロックによらずに、容易かつ正確に、さらには、長期に亘り安定的に備え付けさせることを主たる目的とする。
【００１０】
【課題を解決するための手段】
前記目的を達成するために、請求項１記載の発明にあっては、敷設されて視覚障害者誘導用突起を形成させる突起ユニットが以下の（１）〜（４）の構成を備えたものとしている。
（１）一対の棒状支持体と、
（２）一端部を一対の棒状支持体の一方への連接部とし、かつ、他端部を一対の棒状支持体の他方への連接部として、この一対の棒状支持体間に架け渡し状に備えられる一又は二以上の突起形成体とを備えており、
（３）突起形成体は、その裏面を接着剤により歩行面に接着される接着面としていると共に、
（４）連接部において、突起形成体と棒状支持体とを切り離し可能に構成してある。
【００１１】
かかる構成によれば、棒状支持体を把持した状態で、歩行面に突起ユニットを、突起形成体の接着面を下にして配置させると共に、接着剤によりこの接着面を歩行面に接着させることにより、突起形成体を歩行面の所定の位置に、突起形成体の向き、ないし、配列を一対の棒状支持体によって確保させた状態で、容易に止着させることができる。そして、この止着の後、前記連接部において突起形成体と棒状支持体とを切り離すことによって、前記のように止着された突起形成体によって視覚障害者誘導用突起を歩行面に適切に備え付けさせることができる。
【００１２】
また、請求項２記載の発明にあっては、請求項１記載の敷設されて視覚障害者誘導用突起を形成させる突起ユニットにおける突起形成体の接着面に、複数の突部が形成してあることを特徴としている。
【００１３】
かかる構成によれば、接着面となる突起形成体の裏面の表面積を前記突部により増加させて、接着剤によるこの裏面の歩行面への接着強度を高めることができる。
【００１４】
また、請求項３記載の発明にあっては、請求項１又は請求項２記載の敷設されて視覚障害者誘導用突起を形成させる突起ユニットにおける突起形成体の表面に、滑り止めの凹凸が形成してあることを特徴としている。
【００１５】
かかる構成によれば、視覚障害者誘導突起となる突起形成体に歩行面の滑り止めの機能を併せ持たせることができる。
【００１６】
また、請求項４記載の発明にあっては、請求項１から請求項３のいずれか一項に記載の敷設されて視覚障害者誘導用突起を形成させる突起ユニットにおける棒状支持体の裏面が、突起形成体の接着面よりも上方に位置されるように、棒状支持体と突起形成体の連接部とが、連接片を介して連接してあることを特徴としている。
【００１７】
かかる構成によれば、棒状支持体を把持した状態で、接着剤を塗布した歩行面に、突起形成体の接着面を押し付けさせるようにセッティングする作業をスムースに行うことができる。
【００１８】
また、請求項５記載の発明にあっては、請求項１から請求項４のいずれか一項に記載の敷設されて視覚障害者誘導用突起を形成させる突起ユニットにおける棒状支持体の一端部にはめ込み凹部が形成してあると共に、この棒状支持体の他端部に、このはめ込み凹部にはめ込み可能な突起ユニット連結用のはめ込み部が形成してあることを特徴としている。
【００１９】
かかる構成によれば、同様に二以上の突起ユニットを接合させ合わせて、歩行面に対し、視覚障害者誘導用突起を一度に幅広く備え付けさせるようにすることができる。
【００２０】
また、請求項６記載の発明にあっては、請求項１から請求項５のいずれか一項に記載の敷設されて視覚障害者誘導用突起を形成させる突起ユニットにおける突起形成体が、連接片を介して隣り合う点状突起体に連接された点状突起となる複数の点状突起体から構成してあることを特徴としている。
【００２１】
かかる構成によれば、突起ユニットを前記のように歩行面に接着させることにより、この歩行面に複数の点状突起体を簡単に備え付けさせることができ、これにより、この歩行面に所定の配列の点状突起を形成させることができる。
【００２２】
また、請求項７記載の発明にあっては、請求項１から請求項５のいずれか一項に記載の敷設されて視覚障害者誘導用突起を形成させる突起ユニットにおける突起形成体が、線状突起となる線状突起体から構成してあることを特徴としている。
【００２３】
かかる構成によれば、突起ユニットを前記のように歩行面に接着させることにより、この歩行面に複数の線状突起体を簡単に備え付けさせることができ、これにより、この歩行面に複数の線状突起を所定の配列で形成させることができる。
【００２４】
また、請求項８記載の発明にあっては、請求項６記載の敷設されて視覚障害者誘導用突起を形成させる突起ユニットにおける連接片が、
隣り合う点状突起体の一方に下端を切離可能に連接させて上方に延びる一方腕と、
隣り合う点状突起体の他方に下端を切離可能に連接させて上方に延びる他方腕とを備えた構成としてあることを特徴としている。
【００２５】
かかる構成によれば、突起構成体を歩行面に止着させた後、さらに、この突起形成体を構成する隣り合う点状突起体を連接させ合わせる前記連接片とこの点状突起体とを、この連接片の一方腕の下端と、この連接片の他方腕の下端とでそれぞれ切り離して、歩行面にこの点状突起体のみが残されるようにすることができる。
【００２６】
また、かかる連接片は、前記両腕を有することから、この両腕間の間隔を若干広げ、あるいは、狭める変形を許容させることができ、これによって、歩行面に若干の凹凸がある場合でも、突起形成体を歩行面にセッティングするにあたり、こうした凹凸にかかわらず各点状突起体の接着面がいずれも歩行面に対し密着するように、各点状突起体の接着面を若干傾かせる調整をなすことができる。
【００２７】
また、請求項９記載の発明にあっては、請求項１から請求項８のいずれか一項に記載の敷設されて視覚障害者誘導用突起を形成させる突起ユニットにおける突起形成体の接着面が、この接着面を巡る外縁部側からこの接着面の中央部側に向かうに連れて次第に下方に張り出す湾曲面としてあることを特徴としている。
【００２８】
かかる構成によれば、接着面を接着剤により歩行面に接着させるにあたって、歩行面と接着面間に入り込む空気をこの歩行面に接着面を接しさせる動作に伴って外方に逃し易く、接しさせられた両面間にこうした空気をできるだけ入り込ませない状態で両面を接着させ合わせることができる。
【００２９】
また、請求項１０記載の発明にあっては、前記突起ユニットによる視覚障害者誘導用突起の敷設方法が以下の（１）〜（３）の構成を備えたものとしている。（１）歩行面に速乾性の接着剤を塗布した後、
（２）一対の棒状支持体と、一端部を一対の棒状支持体の一方への連接部とし、かつ、他端部を一対の棒状支持体の他方への連接部として、この一対の棒状支持体間に架け渡し状に備えられる一又は二以上の突起形成体とを備えた突起ユニットにおける突起形成体の裏面を接着剤の塗布された歩行面に押し付け、この裏面を歩行面に接着させ、
（３）この後、連接部において突起形成体と棒状支持体とを切り離して、歩行面上に残された突起形成体によって視覚障害者誘導用突起を形成させるようにした。
【００３０】
かかる構成によれば、接着剤の塗布された歩行面に対し、棒状支持体を把持した状態で、突起形成体の接着面を押し付けるように突起ユニットを歩行面に配することを通じ、突起形成体を歩行面の所定の位置に、突起形成体の向き、ないし、配列を一対の棒状支持体によって確保させた状態で、容易に止着させることができる。そして、この止着の後、前記連接部において突起形成体と棒状支持体とを切り離すことによって、前記のように止着された突起形成体によって視覚障害者誘導用突起を歩行面に適切に備え付けさせることができる。速乾性の接着剤によって前記接着をなすことから、敷設作業をできる限り短時間で終了させることができ、歩道などの利用を徒に妨げることがない特長を有する。
【００３１】
【発明の実施の形態】
以下、図１ないし図１４に基づいて、この発明の典型的な実施の形態について、説明する。
【００３２】
なお、ここで図１ないし図５は、この実施の形態にかかる突起ユニットＹをそれぞれ示しており、また、図６ないし図９は、かかる突起ユニットＹにおける突起形成体２を構成する複数の点状突起体２３、２３…の一つをそれぞれ示している。また、図１０は、二つの突起ユニットＹ、Ｙを連接させ合わせるための、突起ユニットＹを構成する棒状支持体１の端部の構造を理解しやすいように示しており、図１０中、上側に位置される棒状支持体１の端部は連接させ合わされる二つの突起ユニットＹ、Ｙの一方の端部であり、図１０中、下側に位置される棒状支持体１の端部は連接させ合わされる二つの突起ユニットＹ、Ｙの他方の端部である。
【００３３】
また、図１１ないし図１３は、突起ユニットＹを歩行面Ｍに備え付けさせる各工程を理解しやすいように示しており、図１１、図１２、図１３の順でこの備え付け作業が進行する。
【００３４】
また、図１４は、図１ないし図１３に示される突起ユニットＹと構成の一部を異ならせる突起ユニットＹを平面視の状態として示している。
【００３５】
また、図１５ないし図２５は、図１ないし図１３に示される突起ユニットＹと構成の一部を異ならせる突起ユニットＹのさらに他の例の一つを示している。かかる突起ユニットＹは図２４に示されるように歩行面Ｍに接着剤Ｓを介して接着された後、図２５に示されるように、棒状支持体１と突起形成体２を切り離すと共に、突起形成体２を構成する各点状突起体２３、２３…同士を切り離して最終的に歩行面Ｍに設置される。
【００３６】
また、図２６ないし図３７は、図１ないし図１３に示される突起ユニットＹと構成の一部を異ならせる突起ユニットＹのさらに他の一つ例を示している。かかる突起ユニットＹは図３６に示されるように歩行面Ｍに接着剤Ｓを介して接着された後、図３７に示されるように、棒状支持体１と突起形成体２を切り離して最終的に歩行面Ｍに設置される。
【００３７】
この実施の形態にかかる突起ユニットＹは、歩行面Ｍに敷設されて視覚障害者誘導用突起Ｔを形成させるものである。
【００３８】
また、この実施の形態にかかる敷設方法は、前記突起ユニットＹによって歩行面Ｍに視覚障害者誘導用突起Ｔを敷設させるための方法である。
【００３９】
歩行面Ｍとしては、舗装された歩道の舗装面、横断歩道の舗装面、駅の通路の通路面、駅のプラットホームの縁面などが予定される。
【００４０】
かかる突起ユニットＹは、一対の棒状支持体１、１と、一又は二以上の突起形成体２とを備えている。
【００４１】
突起形成体２は、一端部を一対の棒状支持体１、１の一方への連接部２１とし、かつ、他端部を一対の棒状支持体１、１の他方への連接部２１として、この一対の棒状支持体１、１間に架け渡し状に備えられている。
【００４２】
また、かかる突起形成体２は、その裏面を接着剤Ｓにより歩行面Ｍに接着される接着面２２としている。接着剤Ｓとしては、通常の接着剤のほか、接着効果を持った塗料、塗料と接着剤とを混ぜたもの、接着剤に顔料などを混ぜて塗料としての機能を併せ持たせた接着剤などを用いることができる。
【００４３】
また、前記連接部２１において、突起形成体２と棒状支持体１とを切り離すことができるようになっている。
【００４４】
これにより、この実施の形態にかかる突起ユニットＹによれば、棒状支持体１を把持した状態で、歩行面Ｍに突起ユニットＹを、突起形成体２の接着面２２を下にして配置させると共に、接着剤Ｓによりこの接着面２２を歩行面Ｍに接着させることにより、突起形成体２を歩行面Ｍの所定の位置に、突起形成体２の向き、ないし、配列を一対の棒状支持体１、１によって確保させた状態で、容易に止着させることができる。そして、この止着の後、前記連接部２１において突起形成体２と棒状支持体１とを切り離すことによって、前記のように止着された突起形成体２によって視覚障害者誘導用突起Ｔを歩行面Ｍに適切に備え付けさせることができる。
【００４５】
図示の例では、かかる突起ユニットＹを、プラスチック材料を用いた射出成形により形成されたプラスチック成形品としてある。このように突起ユニットＹを構成した場合、突起ユニットＹを容易かつ低廉に提供できると共に、突起ユニットＹを軽量化させて前記歩行面Ｍへの設置作業を一層容易になせるようにすることができる。
【００４６】
前記敷設方法は、このように構成された突起ユニットＹ、つまり、一対の棒状支持体１、１と、一端部を一対の棒状支持体１、１の一方への連接部２１とし、かつ、他端部を一対の棒状支持体１、１の他方への連接部２１として、この一対の棒状支持体１、１間に架け渡し状に備えられる一又は二以上の突起形成体２とを備えた突起ユニットＹを、
歩行面Ｍに速乾性の接着剤Ｓを塗布した後、（図１１）
この突起ユニットＹにおける突起形成体２の裏面を接着剤Ｓの塗布された歩行面Ｍに押し付け、この裏面を歩行面Ｍに接着させ、（図１２）
この後、連接部において突起形成体２と棒状支持体１とを切り離して、歩行面Ｍ上に残された突起形成体２によって視覚障害者誘導用突起Ｔを形成させるようにするものである。（図１３）
【００４７】
かかる構成によれば、接着剤Ｓの塗布された歩行面Ｍに対し、棒状支持体１を把持した状態で、突起形成体２の接着面２２を押し付けるように突起ユニットＹを歩行面Ｍに配することを通じ、突起形成体２を歩行面Ｍの所定の位置に、突起形成体２の向き、ないし、配列を一対の棒状支持体１、１によって確保させた状態で、容易に止着させることができる。そして、この止着の後、前記連接部２１において突起形成体２と棒状支持体１とを切り離すことによって、前記のように止着された突起形成体２によって視覚障害者誘導用突起Ｔを歩行面Ｍに適切に備え付けさせることができる。速乾性の接着剤Ｓによって前記接着をなすことから、敷設作業をできる限り短時間で終了させることができ、歩道などの利用を徒に妨げることがない特長を有する。
【００４８】
かかる速乾性の接着剤Ｓとしては、突起ユニットＹをプラスチック材料により構成した場合には、例えば、メタクリル樹脂液と各種顔料からなる調整した粘性を有する主剤を過酸化物で硬化させるようにしたものなどを用いることができる。
【００４９】
突起形成体２を、連接片２０を介して隣り合う点状突起体２３に連接された点状突起となる複数の点状突起体２３、２３…から構成しておけば、歩行面Ｍに突起ユニットＹを前記のように接着させた後、連接部２１において突起形成体２と棒状支持体１とを切り離すことによって、歩行面Ｍに容易かつ適切に複数の点状突起を備え付けさせることができる。
【００５０】
また、突起形成体２を、線状突起となる線状突起体３０から構成しておけば、歩行面Ｍに突起ユニットＹを前記のように接着させた後、連接部２１において突起形成体２と棒状支持体１とを切り離すことによって、歩行面Ｍに容易かつ適切に線状突起を備え付けさせることができる。
【００５１】
（第一の実施の形態）
図１ないし図１３に示される例にあっては、突起形成体２を、前記点状突起となる複数の点状突起体２３、２３…によって構成させている。
【００５２】
かかる例にあっては、突起ユニットＹを構成する一対の棒状支持体１、１は、一方の棒状支持体１と他方の棒状支持体１とがほぼ平行をなすように、形成されている。
【００５３】
そして、このように配される一対の棒状支持体１、１の間に、三つの突起形成体２…２が架け渡し状に備えられている。
【００５４】
各突起形成体２はいずれも、複数の点状突起体２３、２３…から構成されている。具体的には、これらの点状突起体２３が、棒状支持体１の長さ方向にほぼ直交する向きにおいて真っ直ぐに配列されるように、隣合う点状突起体２３同士を連接片２０によって連接させ合わせることにより、一つの突起形成体２が形成されている。
【００５５】
そして、このように構成される突起形成体２の一端側にある点状突起体２３と一対の棒状支持体１、１の一方とを連接片１０を介して連接させると共に、かかる突起形成体２の他端側にある点状突起体２３と一対の棒状支持体１、１の他方とを連接片１０を介して連接させることにより、一対の棒状支持体１、１の間に各突起形成体２が架け渡し状に備えられるようにしてある。
【００５６】
かかる例にあっては、各突起形成体２はほぼ同寸、同形をなすように構成されている。また、突起形成体２を構成する複数の点状突起体２３、２３…は、いずれも、隣り合う点状突起体２３の間のピッチをほぼ等しくするように、前記連接片２０によって隣り合う点状突起体２３に連接させ合わされている。また、三つの突起形成体２のうち、中央に位置される突起形成体２とこの中央に位置される突起形成体２を挟んだ突起形成体２、２の一方との間の間隔は、この中央に位置される突起形成体２とこの中央に位置される突起形成体２を挟んだ突起形成体２、２の他方との間の間隔とほぼ等しくなるようにしてある。
【００５７】
また、この例では、このように配列される三つの突起形成体２…２によって、一対の棒状支持体１、１間に配される複数の点状突起体２３、２３…は、この棒状支持体１とほぼ平行をなすに仮想の直線と、この棒状支持体１にほぼ直交する仮想の直線とが交叉する交点にそれぞれ配されるようになっている。すなわち、この例では、一対の棒状支持体１、１間に架け渡し状に配される三つの突起形成体２…２によって、この一対の棒状支持体１、１の間に、碁盤目状に点状突起体２３、２３…が配列されるようになっている。
【００５８】
これによりこの例にあっては、突起ユニットＹを前記のように歩行面Ｍに接着させることにより、この歩行面Ｍに複数の点状突起体２３、２３…を正確な碁盤目状をなすように簡単に備え付けさせることができ、これにより、この歩行面Ｍに並行配列の点状突起を形成させることができる。三つ突起形成体２…２における点状突起体２３の配列をずらせば、歩行面Ｍに千鳥配列の点状突起を形成させることも容易になすことができる。
【００５９】
この例では、一つの突起形成体２を構成する複数の点状突起体２３、２３…は、前記連接片２０により互いに連接されていることから、この一つの突起形成体２を構成する一部の点状突起体２３により形成された点状突起に強い外力が作用されても、この外力にこの一つの突起形成体２の接着面２２の全体で抗することができ、歩行面Ｍに安定的に点状突起を備え付けさせる特長を有する。典型的には、各点状突起体２３同士を連接させる連接片２０の表面を接着剤Ｓで覆うようにして、突起ユニットＹを歩行面Ｍに接着させるようにする。
【００６０】
この例では、突起形成体２を構成する各点状突起体２３はいずれも、平面視の状態においてほぼ円形の外郭形状を有するように構成されている。また、各点状突起体２３はいずれも、接着面２２となる円形の裏面２３ａと、この裏面２３ａよりも小径の円形の表面２３ｂとを有している。また、この裏面２３ａと表面２３ｂとの間の側面２３ｃを周回状をなすテーパー面としている。
【００６１】
また、この例にあっては、突起形成体２の接着面２２、つまり、点状突起体２３の裏面２３ａに、複数の突部２３ｄ、２３ｄ…が形成してある。
【００６２】
具体的には、この例にあっては、点状突起体２３の円形をなす裏面のほぼ中心を円心とした内外二つの仮想の円の円弧上に、それぞれ、隣り合う突部２３ｄとの間に間隔を開けて複数の突部２３ｄ、２３ｄ…が形成してある。
【００６３】
各突部２３ｄはいずれも、円錐の底を点状突起体２３の裏面に一体化させた円錐状をなす小突起状をなすように構成されている。
【００６４】
これにより、この例にあっては、接着面２２となる突起形成体２の裏面２３ａの表面積を前記突部２３ｄにより増加させて、接着剤Ｓによるこの裏面２３ａの歩行面Ｍへの接着強度を高めることができる。
【００６５】
また、この例にあっては、突起形成体２３の接着面２２が、この接着面２２を巡る外縁部側からこの接着面２２の中央部側に向かうに連れて次第に下方に張り出す湾曲面としてある。
【００６６】
具体的には、この例にあっては、円形をなす突起形成体２３の接着面２２におけるその中央部分からその外郭部分に近付くに連れて、次第にこの接着面２２が低まる、つまり、上方に近付く向きに湾曲されている。
【００６７】
これにより、この例にあっては、接着面２２を接着剤により歩行面Ｍに接着させるにあたって、歩行面Ｍと接着面２２間に入り込む空気をこの歩行面Ｍに接着面２２を接しさせる動作に伴って外方に逃し易く、接しさせられた両面２２、Ｍ間にこうした空気をできるだけ入り込ませない状態で両面２２、Ｍを接着させ合わせることができる。
【００６８】
また、この例にあっては、突起形成体２の表面、つまり、点状突起体２３の表面２３ｂに、滑り止めの凹凸２３ｅが形成してある。
【００６９】
具体的には、この例にあっては、円形をなす突起形成体２の円の接線に平行で、かつ、隣り合う第一Ｖ字状溝２３ｆとの間にほぼ等しい間隔を開けて形成された複数の第一Ｖ字状溝２３ｆ、２３ｆ…と、円形をなす突起形成体２の円の接線に平行で、かつ、第一Ｖ字状溝２３ｆに交叉し、さらに、隣り合う第二Ｖ字状溝２３ｇとの間にほぼ等しい間隔を開けて形成された複数の第二Ｖ字状溝２３ｇ、２３ｇ…とを、前記点状突起体２３の表面に形成させることにより、この点状突起体２３の表面に滑り止めの凹凸２３ｅを形成させている。すなわち、第一Ｖ字状溝２３ｆと第二Ｖ字状溝２３ｇとにより仕切られた部分が凸となり、この第一Ｖ字状溝２３ｆおよび第二Ｖ字状溝２３ｇが凹となるようになっている。
【００７０】
これにより、この例にあっては、視覚障害者誘導突起となる突起形成体２に歩行面Ｍの滑り止めの機能を併せ持たせることができるようになっている。
【００７１】
また、この例にあっては、棒状支持体１の裏面１１が、突起形成体２の接着面２２よりも上方に位置されるように、棒状支持体１と突起形成体２の連接部２１とが、連接片１０を介して連接されるようにしてある。
【００７２】
具体的には、この例にあっては、一対の棒状支持体１、１間に架け渡し状に配される三つの突起形成体２…２の裏面が、仮想の一つの平面上に位置されるようになっていると共に、一対の棒状支持体１、１の裏面１１が、この仮想の一つの平面よりも上方に位置される他の仮想の一つの平面上に位置されるようになっている。それと共に、突起形成体２の端部、つまり、連接部２１と、棒状支持体１とが、突起形成体２の端部から斜めに上方に延びるように形成された連接片１０により連接されるようにしてある。
【００７３】
これにより、この例にあっては、棒状支持体１を把持した状態で、接着剤Ｓを塗布した歩行面Ｍに、突起形成体２の接着面２２を押し付けさせるようにセッティングする作業をスムースに行うことができる。
【００７４】
この例にあっては、このように突起形成体２を歩行面Ｍにセッティングして止着した後、前記のように形成された連接片１０の下端と突起形成体２の端部との接し合う箇所を切断するようにしている。（図１２から図１３）
【００７５】
また、この例にあっては、棒状支持体１の一端部にはめ込み凹部１２が形成してあると共に、この棒状支持体１の他端部に、このはめ込み凹部１２にはめ込み可能な突起ユニットＹ連結用のはめ込み部１３が形成してある。
【００７６】
具体的には、この例にあっては、一対の棒状支持体１、１のそれぞれにおいて、図１における上側にある棒状支持体１の端部にはめ込み部１３が設けられていると共に、図１における下側にある棒状支持体１の端部にはめ込み凹部１２が設けられている。
【００７７】
このはめ込み凹部１２は、この例にあっては、棒状支持体１の表面側から下方に窪み込むと共に、この棒状支持体１の長さ方向に沿って長い溝状をなすように構成されている。また、このはめ込み凹部１２は、棒状支持体１の端部において外方に開放されている。
【００７８】
一方、この例にあっては、はめ込み部１３は、前記はめ込み凹部１２に対し、棒状支持体１の表面側から入れ込まれる棒状をなすように構成されている。具体的には、棒状支持体１におけるはめ込み凹部１２の形成側と反対の端部の幅寸法を、この棒状支持体１の他部の幅寸法よりも狭めさせるように、この反対の端部を成形させることによりはめ込み部１３が形成されている。
【００７９】
はめ込み凹部１２を構成するこのはめ込み凹部１２の長さ方向に沿った両壁部１２ａ、１２ａにはそれぞれ、このはめ込み凹部１２の底部に向き合った係合面１２ｃを備えた凹所１２ｂが形成してある。
【００８０】
一方、はめ込み部１３の長さ方向に沿った両側面にはそれぞれ、棒状支持体１の表面側に係合面１３ｂを向けた突部１３ａが形成してある。
【００８１】
また、この例にあっては、はめ込み部１３における一対の突部の頂部間の寸法が、はめ込み凹部１２の両壁部の間隔よりもやや大きくなるように構成してある。そして、この例にあっては、はめ込み凹部１２へのはめ込み部１３の入れ込みに伴って、はめ込み凹部１２の壁部１２ａに突き当てられるはめ込み部１３の突部１３ａによって主としてはめ込み凹部１２の側を凹部幅を広げ出させる向きにやや弾性変形させた後、はめ込み部１３をはめ込み凹部１２に入れ込み切った位置でのはめ込み凹部１２側の弾性復帰により、前記凹所１２ｂに対応する突部１３ａが入り込み、かつ、互いの係合面１２ｃ、１３ｂを掛合させ合わせるようになっている。
【００８２】
これにより、この例にかかる突起ユニットＹにあっては、同様に構成された他の突起ユニットＹと接合させ合わせて、歩行面Ｍに対し、視覚障害者誘導用突起Ｔを一度に幅広く備え付けさせるようにすることができる。
【００８３】
すなわち、この例にかかる突起ユニットＹにあっては、一つの突起ユニットＹの棒状支持体１のはめ込み凹部１２に、他の一つの突起ユニットＹのはめ込み部１３をはめ込むことにより、二以上の突起ユニットＹ、Ｙ…を規則的に連接させることができる。そして、このように連接された突起ユニットＹを構成する突起形成体２を同時に歩行面Ｍに対し接着させて、これらの突起ユニットＹを構成する突起形成体２をまとめて視覚障害者誘導用突起Ｔとして歩行面Ｍに対し規則的に備え付けさせることができる。
【００８４】
（第二の実施の形態）
図１４に示される例にあっては、突起形成体３を、前記線状突起となる複数の線状突起体３０、３０…によって構成させている。
【００８５】
かかる例にあっては、突起ユニットＹを構成する一対の棒状支持体１、１は、一方の棒状支持体１と他方の棒状支持体１とがほぼ平行をなすように、形成されている。
【００８６】
そして、このように配される一対の棒状支持体１、１の間に、三つの突起形成体３…３が架け渡し状に備えられている。
【００８７】
各突起形成体３はいずれも、棒状支持体１の長さ方向にほぼ直交する向きに長さ方向を沿わせた棒状をなすように構成されている。
【００８８】
そして、このように構成される突起形成体３の一端（連接部２１）と一対の棒状支持体１、１の一方とを連接片１０を介して連接させると共に、かかる突起形成体３の他端（連接部２１）と一対の棒状支持体１、１の他方とを連接片１０を介して連接させることにより、一対の棒状支持体１、１の間に各突起形成体３が架け渡し状に備えられるようにしてある。
【００８９】
かかる例にあっては、各突起形成体３はほぼ同寸、同形をなすように構成されている。また、三つの突起形成体３…３のうち、中央に位置される突起形成体３とこの中央に位置される突起形成体３を挟んだ突起形成体３、３の一方との間の間隔は、この中央に位置される突起形成体３とこの中央に位置される突起形成体３を挟んだ突起形成体３、３の他方との間の間隔とほぼ等しくなるようにしてある。
【００９０】
各突起形成体３は、いずれも裏面（図示は省略する。）を接着面２２とすると共に、表面よりも裏面を幅広にするように構成されており、幅方向の断面形状をほぼ台形状としている。
【００９１】
これによりこの例にあっては、突起ユニットＹを前記のように歩行面Ｍに接着させることにより、この歩行面Ｍに複数の線状突起体３０、３０…を簡単に備え付けさせることができ、これにより、この歩行面Ｍに複数の線状突起を所定の配列で形成させることができる。
【００９２】
この図１４に示される例のその余の構成は、図１ないし図１３に示される例と同一又は実質的に同一であることから、この同一又は実質的に同一の構成部分については、図１ないし図１３に示される例においてその構成部分に付した符号と同一の符号を図１４に付して、その説明を省略する。
【００９３】
（第三の実施の形態）
図１５ないし図２５に示される例にあっては、突起形成体２を、前記点状突起となる複数の点状突起体２３、２３…によって構成させている。
【００９４】
かかる例にあっては、突起ユニットＹを構成する一対の棒状支持体１、１は、一方の棒状支持体１と他方の棒状支持体１とがほぼ平行をなすように、形成されている。
【００９５】
そして、このように配される一対の棒状支持体１、１の間に、五つの突起形成体２…２が架け渡し状に備えられている。
【００９６】
各突起形成体２はいずれも、複数の点状突起体２３、２３…から構成されている。具体的には、これらの点状突起体２３が、棒状支持体１の長さ方向にほぼ直交する向きにおいて真っ直ぐに配列されるように、隣合う点状突起体２３同士を連接片２０によって連接させ合わせることにより、一つの突起形成体２が形成されている。
【００９７】
そして、このように構成される突起形成体２の一端側にある点状突起体２３と一対の棒状支持体１、１の一方とを連接片１０を介して連接させると共に、かかる突起形成体２の他端側にある点状突起体２３と一対の棒状支持体１、１の他方とを連接片１０を介して連接させることにより、一対の棒状支持体１、１の間に各突起形成体２が架け渡し状に備えられるようにしてある。
【００９８】
かかる例にあっては、各突起形成体２はほぼ同寸、同形をなすように構成されている。また、突起形成体２を構成する複数の点状突起体２３、２３…は、いずれも、隣り合う点状突起体２３の間のピッチをほぼ等しくするように、前記連接片２０によって隣り合う点状突起体２３に連接させ合わされている。また、五つの突起形成体２における隣り合う突起形成体２、２間の間隔は、いずれも、ほぼ等しくなるようにしてある。
【００９９】
また、この例では、このように配列される五つの突起形成体２…２によって、一対の棒状支持体１、１間に配される複数の点状突起体２３、２３…は、この棒状支持体１とほぼ平行をなすに仮想の直線と、この棒状支持体１にほぼ直交する仮想の直線とが交叉する交点にそれぞれ配されるようになっている。すなわち、この例では、一対の棒状支持体１、１間に架け渡し状に配される五つの突起形成体２…２によって、この一対の棒状支持体１、１の間に、碁盤目状に点状突起体２３、２３…が配列されるようになっている。
【０１００】
これによりこの例にあっては、突起ユニットＹを前記のように歩行面Ｍに接着させることにより、この歩行面Ｍに複数の点状突起体２３、２３…を正確な碁盤目状をなすように簡単に備え付けさせることができ、これにより、この歩行面Ｍに並行配列の点状突起を形成させることができる。五つ突起形成体２…２における点状突起体２３の配列をずらせば、歩行面Ｍに千鳥配列の点状突起を形成させることも容易になすことができる。
【０１０１】
また、この例にあっては、一つの突起形成体２を構成する複数の点状突起体２３、２３…を連接させ合う前記連接片２０は、
隣り合う点状突起体２３、２３の一方に下端２０ｂを切離可能に連接させて上方に延びる一方腕２０ａと、
隣り合う点状突起体２３、２３の他方に下端２０ｂを切離可能に連接させて上方に延びる他方腕２０ａとを備えた構成としてある。
【０１０２】
具体的には、この例にあっては、一方腕２０ａと他方腕２０ａとは、これらの上端間に亘る上部接続片２０ｃによって接合させ合わされている。この例では、この上部接続片２０ｃは、水平方向に沿って延びる棒状をなすように構成されている。一方腕２０ａと他方腕２０ａも真っ直ぐな棒状をなすように構成されているが、この例では、両腕２０ａ、２０ａ共に、その上端側に近付くに連れて次第にその下端２０ｂを連接させている点状突起体２３から離れ出す向きにやや傾斜するようにして上方に延びるように形成されている。
【０１０３】
この例では、突起形成体２を構成する各点状突起体２３はいずれも、平面視の状態においてほぼ円形の外郭形状を有するように構成されている。また、各点状突起体２３はいずれも、接着面２２となる円形の裏面２３ａと、この裏面２３ａよりも小径の円形の表面２３ｂとを有している。また、この裏面２３ａと表面２３ｂとの間の側面２３ｃを周回状をなすテーパー面としている。
【０１０４】
また、この例にあっては、突起形成体２の接着面２２、つまり、点状突起体２３の裏面２３ａに、複数の突部２３ｄ、２３ｄ…が形成してある。
【０１０５】
具体的には、この例にあっては、点状突起体２３の円形をなす裏面のほぼ中心を円心とした内外二つの仮想の円の円弧上に、それぞれ、隣り合う突部２３ｄとの間に間隔を開けて複数の突部２３ｄ、２３ｄ…が形成してある。
【０１０６】
各突部２３ｄはいずれも、円錐の底を点状突起体２３の裏面に一体化させた円錐状をなす小突起状をなすように構成されている。
【０１０７】
これにより、この例にあっては、接着面２２となる突起形成体２の裏面２３ａの表面積を前記突部２３ｄにより増加させて、接着剤Ｓによるこの裏面２３ａの歩行面Ｍへの接着強度を高めることができる。
【０１０８】
また、この例にあっては、突起形成体２の接着面２２が、この接着面２２を巡る外縁部側からこの接着面２２の中央部側に向かうに連れて次第に下方に張り出す湾曲面としてある。
【０１０９】
具体的には、この例にあっては、接着面２２は、円形をなす突起形成体２の接着面２２におけるその中央部分からその外郭部分に近付くに連れて、次第に接着面２２が低まる、つまり、上方に近付く向きに湾曲されている。
【０１１０】
これにより、この例にあっては、接着面２２を接着剤により歩行面Ｍに接着させるにあたって、歩行面Ｍと接着面２２間に入り込む空気をこの歩行面Ｍに接着面２２を接しさせる動作に伴って外方に逃し易く、接しさせられた両面２２、Ｍ間にこうした空気をできるだけ入り込ませない状態で両面２２，Ｍを接着させ合わせることができる。
【０１１１】
また、この例にあっては、突起形成体２の表面、つまり、点状突起体２３の表面２３ｂに、滑り止めの凹凸２３ｅが形成してある。
【０１１２】
具体的には、この例にあっては、円形をなす突起形成体２の円の接線に平行で、かつ、隣り合う第一Ｖ字状溝２３ｆとの間にほぼ等しい間隔を開けて形成された複数の第一Ｖ字状溝２３ｆ、２３ｆ…と、円形をなす突起形成体２の円の接線に平行で、かつ、第一Ｖ字状溝２３ｆに交叉し、さらに、隣り合う第二Ｖ字状溝２３ｇとの間にほぼ等しい間隔を開けて形成された複数の第二Ｖ字状溝２３ｇ、２３ｇ…とを、前記点状突起体２３の表面に形成させることにより、この点状突起体２３の表面に滑り止めの凹凸２３ｅを形成させている。すなわち、第一Ｖ字状溝２３ｆと第二Ｖ字状溝２３ｇとにより仕切られた部分が凸となり、この第一Ｖ字状溝２３ｆおよび第二Ｖ字状溝２３ｇが凹となるようになっている。
【０１１３】
これにより、この例にあっては、視覚障害者誘導突起となる突起形成体２に歩行面Ｍの滑り止めの機能を併せ持たせることができるようになっている。
【０１１４】
また、この例にあっては、棒状支持体１の裏面１１が、突起形成体２の接着面２２よりも上方に位置されるように、棒状支持体１と突起形成体２の連接部２１とが、連接片１０を介して連接されるようにしてある。
【０１１５】
具体的には、この例にあっては、一対の棒状支持体１、１間に架け渡し状に配される五つの突起形成体２…２の裏面が、仮想の一つの平面上に位置されるようになっていると共に、一対の棒状支持体１、１の裏面１１が、この仮想の一つの平面よりも上方に位置される他の仮想の一つの平面上に位置されるようになっている。
【０１１６】
また、隣り合う点状突起体２３、２３同士を連接させる連接片２０における前記上部接続片２０ｃの裏面も、一対の棒状支持体１、１の裏面１１が位置される他の仮想の一つの平面上に位置されるようになっている。
【０１１７】
それと共に、突起形成体２の端部、つまり、連接部２１と、棒状支持体１とが、突起形成体２の端部から斜めに上方に延びるように形成された連接片１０により連接されるようにしてある。この例にあっては、連接片１０の上端と棒状支持体１とは、さらに、水平方向に延びる棒状連接片を介して、連接され合わされている。
【０１１８】
これにより、この例にあっては、棒状支持体１を把持した状態で、接着剤Ｓを塗布した歩行面Ｍに、突起形成体２の接着面２２を押し付けさせるようにセッティングする作業をスムースに行うことができる。
【０１１９】
この例にあっては、このように突起形成体２を歩行面Ｍにセッティングして止着した後、前記のように形成された連接片１０の下端と突起形成体２の端部との接し合う箇所を切断するようにしている。（図２４から図２５）
【０１２０】
また、この例では、このように突起形成体２を歩行面Ｍに止着させた後、さらに、この突起形成体２を構成する隣り合う点状突起体２３、２３を連接させ合わせる前記連接片２０とこの点状突起体２３とを、この連接片２０の一方腕２０ａの下端２０ｂと、この連接片２０の他方腕２０ａの下端２０ｂとでそれぞれ切り離して、歩行面Ｍにこの点状突起体２３のみが残されるようにすることができる。すなわち、この例では、かかる連接片２０は、両腕２０ａ、２０ａの下端２０ｂを点状突起体２３に連接させて上方に位置されることから、歩行面Ｍには接着されることはなく、突起形成体２を歩行面Ｍに止着させた後、支障なくかかる切り離しをなすことができる。
【０１２１】
また、かかる連接片は、前記両腕２０ａ、２０ａを有することから、この両腕２０ａ、２０ａ間の間隔を若干広げ、あるいは、狭める変形を許容させることができ、これによって、歩行面Ｍに若干の凹凸がある場合でも、突起形成体２を歩行面Ｍにセッティングするにあたり、こうした凹凸にかかわらず各点状突起体２３、２３…の接着面２２がいずれも歩行面Ｍに対し密着するように、各点状突起体２３、２３…の接着面２２を若干傾かせる調整をなすことができる。かかる変形の許容は、典型的には、突起ユニットＹをプラスチック材料を用いた射出成型品とすることで容易に確保することができる。
【０１２２】
なお、この例にあっては、一対の棒状支持体１、１の一端間と、他端端間に、それぞれ、棒状接続体４が架け渡し状に形成されており、この一対の棒状支持体１、１と棒状接続体４によって形成された方形の枠状体によって、前記五つの突起形成体２、２…が支持されるようになっている。
【０１２３】
（第四の実施の形態）
図２６ないし図３７に示される例にあっては、突起形成体３を、前記線状突起となる複数の線状突起体３０、３０…によって構成させている。
【０１２４】
かかる例にあっては、突起ユニットＹを構成する一対の棒状支持体１、１は、一方の棒状支持体１と他方の棒状支持体１とがほぼ平行をなすように、形成されている。
【０１２５】
そして、このように配される一対の棒状支持体１、１の間に、四つの突起形成体３…３が架け渡し状に備えられている。
【０１２６】
各突起形成体３はいずれも、棒状支持体１の長さ方向にほぼ直交する向きに長さ方向を沿わせた棒状をなすように構成されている。
【０１２７】
そして、このように構成される突起形成体３の一端（連接部２１）と一対の棒状支持体１、１の一方とを連接片１０を介して連接させると共に、かかる突起形成体３の他端（連接部２１）と一対の棒状支持体１、１の他方とを連接片１０を介して連接させることにより、一対の棒状支持体１、１の間に各突起形成体３が架け渡し状に備えられるようにしてある。
【０１２８】
かかる例にあっては、各突起形成体３はほぼ同寸、同形をなすように構成されている。また、四つの突起形成体３…３における隣り合う突起形成体３、３間の間隔は、いずれも、ほぼ等しくなるようにしてある。
【０１２９】
各突起形成体３は、いずれも裏面を接着面２２とすると共に、表面よりも裏面を幅広にするように構成されており、幅方向の断面形状をほぼ台形状としている。
【０１３０】
また、この例にあっては、突起形成体３の接着面２２が、この接着面２２を巡る外縁部側からこの接着面２２の中央部側に向かうに連れて次第に下方に張り出す湾曲面としてある。
【０１３１】
具体的には、この例にあっては、かかる接着面２２は、底面視の状態において長方形状をなす突起形成体３の接着面２２におけるその幅方向ほぼ中程の部分からその外郭部分に近付くに連れて、次第に接着面２２が低まる、つまり、上方に近付く向きに湾曲されている。より詳しくは、この例にあっては、突起形成体３の裏面に溝状の肉抜き部が複数形成されており、この肉抜き部以外の部分が接着面２２として機能するようになっている。
【０１３２】
これにより、この例にあっては、接着面２２を接着剤により歩行面Ｍに接着させるにあたって、歩行面Ｍと接着面２２間に入り込む空気をこの歩行面Ｍに接着面２２を接しさせる動作に伴って外方に逃し易く、接しさせられた両面２２、Ｍ間にこうした空気をできるだけ入り込ませない状態で両面２２、Ｍを接着させ合わせることができる。
【０１３３】
また、この例にあっては、各突起形成体３、３…は、ほぼ同寸、同形の三つの線状突起形成体３０ａに区分されており、中央の線状突起形成体３０ａの一端と右側の線状突起形成体３０ａの一端とをヒンジ状接続片３０ｂによって接続させると共に、中央の線状突起形成体３０ａの他端と左側の線状突起形成体３０ａの一端とをヒンジ状接続片３０ｂによって接続させることにより、これらの線状突起形成体３０ａによって突起形成体を形作るようにしている。
【０１３４】
具体的には、中央の線状突起形成体３０ａの幅方向に沿った辺部と長さ方向に沿った両辺部との間の両隅部であって、この中央の線状突起形成体３０ａの裏面側と、
左右の線状突起形成体３０ａの幅方向に沿った辺部と長さ方向に沿った両辺部との間の両隅部であって、この左右の線状突起形成体３０ａの裏面側とが、前記ヒンジ状接続片３０ｂによって接続されるようにしてある。
【０１３５】
これにより、この例にあっては、かかるヒンジ状接続片３０ｂを屈曲させることにより、突起形成体３を構成する各線状突起形成体３０ａの裏面、つまり、接着面２２を若干傾かせることができ、歩行面Ｍへのセッティングにあたって、この歩行面Ｍに若干の凹凸がある場合でも、こうした凹凸にかかわらず各突起形成体３、３…を構成する各線状突起形成体３０ａの接着面２２がいずれも歩行面Ｍに対し密着するようにすることができる。
【０１３６】
かかるヒンジ状接続片３０ｂを屈曲可能とすることは、典型的には、突起ユニットＹをプラスチック材料を用いた射出成型品とすることで容易に確保することができる。
【０１３７】
この例にあっても、突起ユニットＹを前記のように歩行面Ｍに接着させることにより、この歩行面Ｍに複数の線状突起体３０、３０…を簡単に備え付けさせることができ、これにより、この歩行面Ｍに複数の線状突起を所定の配列で形成させることができる。
【０１３８】
この図２６ないし図３７に示される例のその余の構成は、図１ないし図１３に示される例と同一又は実質的に同一であることから、この同一又は実質的に同一の構成部分については、図１ないし図１３に示される例においてその構成部分に付した符号と同一の符号を図２６ないし図３７に付して、その説明を省略する。
【０１３９】
【発明の効果】
この発明にかかる突起ユニットおよび敷設方法によれば、歩行面に対し、視覚障害者誘導用突起を、こうした突起を備えたブロックによらずに、容易かつ正確に、さらには、長期に亘り安定的に備え付けさせることができる。
【図面の簡単な説明】
【図１】第一の実施の形態にかかる突起ユニットＹの平面図
【図２】同側面図（図１の下側から見た図）
【図３】同側面図（図１の上側から見た図）
【図４】同要部破断側面図（図１の左側から見た図）
【図５】同要部底面図
【図６】同要部平面図
【図７】同要部底面図
【図８】同要部側面図
【図９】図６におけるＡ−Ａ線断面図
【図１０】同要部斜視図
【図１１】第一の実施の形態にかかる突起ユニットＹによる視覚障害者誘導用突起Ｔの敷設工程の一部を示す構成図
【図１２】図１１に示される工程に続いてなされる、突起ユニットＹによる視覚障害者誘導用突起Ｔの敷設工程の一部を示す構成図
【図１３】図１２に示される工程に続いてなされる、突起ユニットＹによる視覚障害者誘導用突起Ｔの敷設工程の一部を示す構成図
【図１４】第二の実施の形態にかかる突起ユニットＹの平面構成図
【図１５】第三の実施の形態にかかる突起ユニットＹの平面図
【図１６】同底面図
【図１７】同側面図（図１５の右側から見た図）
【図１８】同側面図（図１５の下側から見た図）
【図１９】同要部平面図
【図２０】同要部側面図
【図２１】同要部底面図
【図２２】同要部側面図（図２０の右側から見た図）
【図２３】同要部断面図
【図２４】第三の実施の形態にかかる突起ユニットＹによる視覚障害者誘導用突起Ｔの敷設工程の一部を示す構成図
【図２５】図２４に示される工程に続いてなされる、突起ユニットＹによる視覚障害者誘導用突起Ｔの敷設工程の一部を示す構成図
【図２６】第四の実施の形態にかかる突起ユニットＹの平面図
【図２７】同底面図
【図２８】同側面図（図２６の下側から見た図）
【図２９】同側面図（図２６の右側から見た図）
【図３０】同要部平面図
【図３１】同要部底面図
【図３２】同要部側面図
【図３３】同要部側面図（図３０の右側から見た図）
【図３４】図３２におけるＢ−Ｂ線断面図
【図３５】図３２におけるＣ−Ｃ線断面図
【図３６】第四の実施の形態にかかる突起ユニットＹによる視覚障害者誘導用突起Ｔの敷設工程の一部を示す構成図
【図３７】図３６に示される工程に続いてなされる、突起ユニットＹによる視覚障害者誘導用突起Ｔの敷設工程の一部を示す構成図
【符号の説明】
Ｙ  突起ユニット
Ｍ  歩行面
Ｓ  接着剤
１  棒状支持体
２  突起形成体
２１  連接部
２２  接着面
【図１】
0003708930.tif 000002
【図２】
0003708930.tif 000003
【図３】
0003708930.tif 000004
【図４】
0003708930.tif 000005
【図５】
0003708930.tif 000006
【図６】
0003708930.tif 000007
【図７】
0003708930.tif 000008
【図８】
0003708930.tif 000009
【図９】
0003708930.tif 000010
【図１０】
0003708930.tif 000011
【図１１】
0003708930.tif 000012
【図１２】
0003708930.tif 000013
【図１３】
0003708930.tif 000014
【図１４】
0003708930.tif 000015
【図１５】
0003708930.tif 000016
【図１６】
0003708930.tif 000017
【図１７】
0003708930.tif 000018
【図１８】
0003708930.tif 000019
【図１９】
0003708930.tif 000020
【図２０】
0003708930.tif 000021
【図２１】
0003708930.tif 000022
【図２２】
0003708930.tif 000023
【図２３】
0003708930.tif 000024
【図２４】
0003708930.tif 000025
【図２５】
0003708930.tif 000026
【図２６】
0003708930.tif 000027
【図２７】
0003708930.tif 000028
【図２８】
0003708930.tif 000029
【図２９】
0003708930.tif 000030
【図３０】
0003708930.tif 000031
【図３１】
0003708930.tif 000032
【図３２】
0003708930.tif 000033
【図３３】
0003708930.tif 000034
【図３４】
0003708930.tif 000035
【図３５】
0003708930.tif 000036
【図３６】
0003708930.tif 000037
【図３７】
0003708930.tif 000038